【手続補正書】
【提出日】平成20年3月26日(2008.3.26)
【手続補正１】
【補正対象書類名】特許請求の範囲
【補正対象項目名】全文
【補正方法】変更
【補正の内容】
【特許請求の範囲】
【請求項１】
テレビ放送信号を受信する放送受信手段と、
映像を表示する表示手段と、
音声を再生する音声再生手段と、
受信された前記テレビ放送を前記表示手段および前記音声再生手段で出力している際に、イベントが発生した場合に、前記表示手段での前記テレビ放送の映像の表示、前記音声再生手段での前記テレビ放送の音声の再生、および前記イベントの少なくとも１つを制御する制御手段と
を備えることを特徴とする携帯端末装置。
【請求項２】
前記携帯端末装置は、さらに、
電子メールの送受信を行う送受信手段を備え、
前記イベントは、前記電子メールの受信であり、
前記制御手段は、前記電子メールが受信されると、前記映像の表示、前記音声の再生、および前記電子メールの処理を制御する
ことを特徴とする請求項１記載の携帯端末装置。
【請求項３】
前記携帯端末装置は、さらに、
受信された前記テレビ放送を記録する記憶手段と、
前記テレビ放送の前記記憶手段への記録を制御する記録制御手段とを備え、
前記制御手段は、前記電子メールが受信されると、前記記録制御手段に対して前記テレビ放送を記録するように指示するとともに、前記電子メールを前記表示手段に表示させる
ことを特徴とする請求項２記載の携帯端末装置。
【請求項４】
前記制御手段は、前記電子メールを前記表示手段へ表示させた後も、受信された前記テレビ放送の音声を前記音声再生手段に再生させる
ことを特徴とする請求項３記載の携帯端末装置。
【請求項５】
前記携帯端末装置は、さらに、
ユーザの操作を受け付ける操作受付手段を備え、
前記制御手段は、前記電子メールが受信されると、前記記録制御手段に対する前記記録指示および前記電子メールの表示に先立って、前記電子メールの表示を行うか否かを前記ユーザへ問い合わせ、
前記操作受付手段により受け付けられた、前記問い合わせに対するユーザからの回答に基づいて、前記テレビ放送および前記電子メールの処理を制御する
ことを特徴とする請求項３または請求項４記載の携帯端末装置。
【請求項６】
前記制御手段は、前記回答が前記電子メールの表示を行うである場合、前記記録制御手段に対して前記テレビ放送を記録するように指示するとともに、前記電子メールの表示を行う
ことを特徴とする請求項５記載の携帯端末装置。
【請求項７】
前記携帯端末装置は、さらに、
記録された前記テレビ放送を再生する再生制御手段を備え、
前記制御手段は、前記電子メールの表示が終了された場合、前記再生制御手段に対して記録された前記テレビ放送を再生するように指示する
ことを特徴とする請求項３または請求項６記載の携帯端末装置。
【請求項８】
前記制御手段は、前記電子メールの表示が終了された場合、前記電子メールの表示を行
っていた間の前記テレビ放送を記録したことをユーザへ通知する
ことを特徴とする請求項３または請求項６記載の携帯端末装置。
【請求項９】
前記制御手段は、前記電子メールの表示が終了された場合、前記電子メールの表示を行っていた間に記録された前記テレビ放送を再生するか否かをユーザへ問い合わせする
ことを特徴とする請求項３または請求項６記載の携帯端末装置。
【請求項１０】
前記携帯端末装置は、さらに、
電話の送受信を行う送受信手段を備え、
前記イベントは、前記電話の受信であり、
前記制御手段は、前記電話が受信されると、前記映像の表示、前記音声の再生、および前記電話の処理を制御する
ことを特徴とする請求項１記載の携帯端末装置。
【請求項１１】
前記制御手段は、前記電話が受信されると、前記電話を留守番電話により対応する  
ことを特徴とする請求項１０記載の携帯端末装置。
【請求項１２】
ユーザの操作を受け付ける操作受付手段を備え、
前記制御手段は、前記電話が受信されると、前記電話に応答するか否かを前記ユーザへ問い合わせ、
前記操作受付手段により受け付けられた、前記問い合わせに対する前記ユーザからの回答に基づいて、前記テレビ放送および前記電話の処理を制御する
ことを特徴とする請求項１０記載の携帯端末装置。
【請求項１３】
前記制御手段は、前記回答が前記電話に応答しないである場合、前記電話を留守番電話により対応する
ことを特徴とする請求項１２記載の携帯端末装置。
【請求項１４】
前記携帯端末装置は、さらに、
受信された前記テレビ放送を記録する記憶手段と、
前記テレビ放送の前記記憶手段への記録を制御する記録制御手段とを備え、
前記制御手段は、前記回答が前記電話に応答するである場合、前記記録制御手段に対して前記テレビ放送を記録するように指示し、通話処理を行う
ことを特徴とする請求項１２記載の携帯端末装置。
【請求項１５】
前記携帯端末装置は、さらに、
記録された前記テレビ放送を再生する再生制御手段を備え、
前記制御手段は、前記電話が終了された場合、前記再生制御手段に対して記録された前記テレビ放送を再生するように指示する
ことを特徴とする請求項１４記載の携帯端末装置。
【請求項１６】
前記制御手段は、前記電話が終了された場合、前記電話を行っていた間の前記テレビ放送を記録したことを前記ユーザへ通知する
ことを特徴とする請求項１４記載の携帯端末装置。
【請求項１７】
前記制御手段は、前記電話が終了された場合、前記電話を行っていた間に記録された前記テレビ放送を再生するか否かを前記ユーザへ問い合わせする
ことを特徴とする請求項１４記載の携帯端末装置。
【請求項１８】
前記携帯端末装置は、第１本体部および第２本体部が接続部を介して重ね合わせ可能に連結され、
さらに、受信された前記テレビ放送を記録する記憶手段と、
前記テレビ放送の前記記憶手段への記録を制御する記録制御手段と、
前記第１本体部および前記第２本体部が重ね合わされているか開いているかを検出する開閉検出手段とを備え、
前記イベントは、前記第１本体部および前記第２本体部の重ね合わせであり、
前記制御手段は、前記開閉検出手段により前記第１本体部および前記第２本体部が重ね合わされたことが検出されると、前記記録制御手段に対して前記テレビ放送を記録するように指示する
ことを特徴とする請求項１記載の携帯端末装置。
【請求項１９】
前記携帯端末装置は、さらに、
記録された前記テレビ放送を再生する再生制御手段を備え、
前記制御手段は、前記開閉検出手段により前記第１本体部および前記第２本体部が重ね合わされた状態から開かれたことが検出されると、前記再生制御手段に対して記録された前記テレビ放送を再生するように指示する
ことを特徴とする請求項１８記載の携帯端末装置。
【請求項２０】
前記制御手段は、前記開閉検出手段により前記第１本体部および前記第２本体部が重ね合わされた状態から再び開かれたことが検出されると、前記重ね合わされたときから再び開かれるまでの間に前記テレビ放送を記録したことをユーザへ通知する
ことを特徴とする請求項１８記載の携帯端末装置。
【請求項２１】
前記制御手段は、前記開閉検出手段により前記第１本体部および前記第２本体部が重ね合わされた状態から再び開かれたことが検出されると、前記重ね合わされたときから再び開かれるまでの間に記録された前記テレビ放送を再生するか否かをユーザへ問い合わせする
ことを特徴とする請求項１８記載の携帯端末装置。
【請求項２２】
前記携帯端末装置は、第１本体部および第２本体部が接続部を介して重ね合わせ可能に連結され、
さらに、前記第１本体部および前記第２本体部が重ね合わされているか開いているかを検出する開閉検出手段とを備え、
前記イベントは、前記第１本体部および前記第２本体部の重ね合わせであり、
前記制御手段は、前記開閉検出手段により前記第１本体部および前記第２本体部が重ね合わされたことが検出されると、前記テレビ放送の受信および表示を制御する
ことを特徴とする請求項１記載の携帯端末装置。
【請求項２３】
前記制御手段は、前記開閉検出手段により前記第１本体部および前記第２本体部が重ね合わされたことが検出されると、前記テレビ放送の表示を停止する
ことを特徴とする請求項１記載の携帯端末装置。
【請求項２４】
前記制御手段は、前記開閉検出手段により前記第１本体部および前記第２本体部が重ね合わされたことが検出されると、前記テレビ放送の受信を停止する
ことを特徴とする請求項１記載の携帯端末装置。
【請求項２５】
前記携帯端末装置は、第１本体部および第２本体部が接続部を介して重ね合わせ可能に連結され、
さらに、前記第１本体部および前記第２本体部が重ね合わされているか開いているかを検出する開閉検出手段とを備え、
前記イベントは、前記第１本体部および前記第２本体部の重ね合わせであり、
前記制御手段は、前記開閉検出手段により前記第１本体部および前記第２本体部が重ね合わされたことが検出されると、他の装置に対して前記テレビ放送を記録するように指示する
ことを特徴とする請求項１記載の携帯端末装置。
【請求項２６】
前記携帯端末装置は、さらに、
受信された前記テレビ放送を記録する記憶手段と、
前記テレビ放送の前記記憶手段への記録を制御する記録制御手段とを備え、
前記制御手段は、前記他の装置に対する記録指示とともに、前記記録制御手段に対して前記テレビ放送を記録するように指示し、前記他の装置から記録開始の通知により前記記録制御手段に対して前記テレビ放送の記録を終了するように指示する
ことを特徴とする請求項２５記載の携帯端末装置。
【請求項２７】
前記制御手段は、前記他の装置から記録終了の通知を受けると、前記他の装置で前記テレビ放送を記録したことをユーザへ通知する
ことを特徴とする請求項２５記載の携帯端末装置。
【請求項２８】
前記携帯端末装置は、さらに、
ユーザの操作を受け付ける操作受付手段を備え、
前記イベントは、前記操作受付手段による所定操作の受け付けであり、
前記制御手段は、前記操作受付手段により前記所定操作が受け付けられると、前記映像の表示、前記音声の再生、または前記テレビ放送の受信を停止する
ことを特徴とする請求項１記載の携帯端末装置。
【請求項２９】
前記制御手段は、前記所定操作が受け付けられてから所定時間経過後に、前記ユーザに所定時間の経過を通知する
ことを特徴とする請求項２８記載の携帯端末装置。
【請求項３０】
前記制御手段は、バイブレータ、音、発光、または表示により、前記ユーザに所定時間の経過を通知する
ことを特徴とする請求項２９記載の携帯端末装置。
【請求項３１】
前記制御手段は、前記テレビ放送の表示または受信の停止中に、前記所定操作が受け付けられると、前記映像の表示、前記音声の再生、または前記テレビ放送の受信を再開する
ことを特徴とする請求項２８〜３０のいずれか１項に記載の携帯端末装置。
【請求項３２】
前記制御手段は、前記所定操作が受け付けられてから所定時間経過後に、前記映像の表示、前記音声の再生、または前記テレビ放送の受信を再開する
ことを特徴とする請求項２８記載の携帯端末装置。
【請求項３３】
前記携帯端末装置は、さらに、
ＣＭを検出するＣＭ検出手段を備え、
前記イベントは、前記ＣＭ検出手段によるＣＭの検出であり、
前記制御手段は、前記ＣＭ検出手段により前記ＣＭが検出されると、前記映像の表示または前記音声の再生を停止する
ことを特徴とする請求項１記載の携帯端末装置。
【請求項３４】
前記制御手段は、前記ＣＭ検出手段により前記ＣＭの終了が検出されると、停止した前記映像の表示または前記音声の再生を再開する
ことを特徴とする請求項３３記載の携帯端末装置。
【請求項３５】
テレビ放送信号を再生する携帯端末装置における制御方法であって、
テレビ放送信号を受信する放送受信ステップと、
映像を表示する表示ステップと、
音声を再生する音声再生ステップと、
受信された前記テレビ放送を前記表示ステップおよび前記音声再生ステップにより出力している際に、イベントが発生した場合に、前記表示ステップでの前記テレビ放送の映像の表示、前記音声再生ステップでの前記テレビ放送の音声の再生、および前記イベントの少なくとも１つを制御する制御ステップと
を含むことを特徴とする制御方法。
【請求項３６】
テレビ放送信号を再生する携帯端末装置を制御するためのプログラムであって、
テレビ放送信号を受信する放送受信ステップと、
映像を表示する表示ステップと、
音声を再生する音声再生ステップと、
受信された前記テレビ放送を前記表示ステップおよび前記音声再生ステップにより出力している際に、イベントが発生した場合に、前記表示ステップでの前記テレビ放送の映像の表示、前記音声再生ステップでの前記テレビ放送の音声の再生、および前記イベントの少なくとも１つを制御する制御ステップとをコンピュータに実行させる
ことを特徴とするプログラム。
【請求項３７】
テレビ放送信号を再生する携帯端末装置を制御するための集積回路であって、
テレビ放送信号を受信する放送受信手段と、
受信された前記テレビ放送を出力している際に、イベントが発生した場合に、前記テレビ放送の映像の表示、前記テレビ放送の音声の再生、および前記イベントの少なくとも１つを制御する制御手段と
を備えることを特徴とする集積回路。